(57)【要約】【課題】  単純な構造でありながらも、長期に亘って印鑑の盗用防止機能を奏し得る印鑑の提供。【解決手段】  印面１が形成された印部２と持ち手部とからなり、前記印面１に印影部６が刻設されると共に、当該印面１内の非印影部３に、前記印面１と削底面４との間の中間位に至る高さを備え且つ平面形状が円又は多角形の組み合わせからなる単一の方向性を有した形状の識別部５が刻設された印鑑。【選択図】      図１
0003125370.tif 000002
【実用新案登録請求の範囲】
【請求項１】
印面（１）が形成された印部（２）と持ち手部とからなり、前記印面（１）に印影部（６）が刻設されると共に、当該印面（１）内の非印影部（３）に、平面形状が円又は多角形の組み合わせからなる単一の方向性を有した形状であって、且つ前記印面（１）と削底面（４）との間の中間位に至る高さを備えた識別部（５）が刻設された印鑑。
【請求項２】
前記識別部（５）の位相を、４５度刻みの八方に設定した前記請求項１に記載の印鑑。
【請求項３】
前記識別部（５）の平面形状は、円と四角形を連結してなる鍵穴状、大小異なる二つの円を連結してなる雪だるま状、又は小円と大円とその間に介在した台形を連結してなる水滴状である前記請求項１又は請求項２のいずれかに記載の印鑑。
【考案の詳細な説明】
【技術分野】
【０００１】
本考案は、盗用偽造・防止に有効な印鑑に関する。
【背景技術】
【０００２】
印鑑は、個人の財産や権利の管理に深く関るものであり、かかる印鑑が盗用されれば個人の財産や権利が深く侵害されることとなる。
【０００３】
今日では、高機能のコンピュータが民間に普及し、画像処理に関するソフトウエアも安価でしかも高性能となったことから、これらを駆使することにより民間にあっても陰影の偽造が容易となっている。その様な状況にあっても、真正な印鑑の鑑別は依然として困難であることから、陰影の盗用による問題がより大きな社会問題となっている。
【０００４】
従来より、印鑑や陰影の偽造を防止すべく、印鑑自体とは別に種々のシステムが提供されているが、その様なシステムが導入されていない状況は当然に有り得るものであるから、偽造印鑑の容易な鑑別措置が望まれるところである。従来は、必要に応じて切り替え可能な複数の印相を有し、任意に有効な印相を選択できる安全印鑑が紹介されており（例えば、下記特許文献１参照。）、本願出願人にあっても、印鑑の印面内外に、印影とはならない文字列等の簡易加工を行う手法（例えば、下記特許文献２参照。）を紹介している。
【０００５】
【特許文献１】実用新案登録第３０７８２３３号公報
【特許文献２】特開２００５−６６８３７号公報
【考案の開示】
【考案が解決しようとする課題】
【０００６】
しかしながら、上記特許文献１の手法では、構造が複雑であって、任意に複数の印影を選択できることから、目的に応じた印影の選択管理が煩雑であるという問題があり、上記特許文献２の手法では、特に重要な印鑑の場合、任意の文字列等の簡易加工を施すスペースが無いと言う問題があり、更に細かい加工を施せば、長年の使用によって欠けが生じ偽造防止機能が消失しかねないと言う問題がある。
【０００７】
本考案は、上記実情に鑑みて為されたものであって、単純な構造でありながらも、長期に亘って印鑑の偽造防止機能を奏し得る印鑑の提供を目的とする。
【課題を解決するための手段】
【０００８】
上記課題を解決する為になされた本考案による印鑑は、印面が形成された印部と持ち手部とからなり、前記印面に印影部が刻設されると共に、当該印面内の非印影部に、平面形状が円又は多角形の組み合わせからなる単一の方向性を有した形状であって、且つ前記印面と削底面との間の中間位に至る高さを備えた識別部が刻設されたことを特徴とする。
【０００９】
前記識別部の位相の目視による鑑定が容易な様に、前記識別部の位相を、４５度刻みの八方に設定する場合もある。
【００１０】
前記識別部の平面形状は、円（楕円を含む。当該書面全体において同じ。）と四角形（正方形、長方形、又は台形）を連結してなる鍵穴状、大小異なる二つの円を連結してなる雪だるま状、又は小円と大円とその間に介在した台形を連結してなる水滴状とすることができる。前記鍵穴状であれば、円と四角形との位置関係により単一の方向性が与えられ、雪だるま状又は水滴状であれば、小円と大円との位置関係により単一の方向性が与えられる。尚、ここで単一の方向性とは、その形状の長さと幅を以って一の方向性を示しえる性状を指し、その様な性状を持つ平面形状を有することが前記識別部の要件となる。
【考案の効果】
【００１１】
印鑑の印面内に設けられた識別部は、小さくとも欠けが生じない単純な形状が選択され、その様な単純な形状でありながらも、その識別部の形状及び向きによって、その単純な形状に特異性を与え、且つ与えられた狭小な印面内に印影には影響を与えない当該印鑑特有の個性を与えることが可能となる。即ち、印影はコピーできたとしても、当該印面内に設けられた識別部の向き及び設定位置、果ては設定箇所の数（場合に応じて単数でも複数でも良い）の組み合わせは膨大であり、かかる組み合わせを登録しておけば、偽造印鑑の使用を未然に防止できることとなる。
【００１２】
しかも、その鑑定は、コンピュータシステム等に依らずとも、識別部の態様及び位置を知る限られた者にとっては目視によって比較的容易に行え、且つ削り出しの容易さによるコストの安さとも相俟って極めて実用的な偽造防止措置と言える。
【考案を実施するための最良の形態】
【００１３】
以下、本考案による印鑑の実施の形態を図面に基き説明する。
本考案による印鑑は、印面１が形成された印部２と持ち手部（図示省略）とからなり、前記印面１に印影部（例えば、印影において個人の名称部分を印字する部分指す。）６が刻設されると共に、当該印面１内の非印影部（印影においてブランクを形成する余白部分を指す。）３に、平面形状が円又は多角形（ここでは四角形以上を指す。）の組み合わせからなる単一の方向性を有した形状であって、且つ印面１と削底面４との間の中間位に至る高さを備えた識別部５が刻設された印鑑である。
【００１４】
図１に示す例は、印部２と持ち手部とが一体成形された印鑑であって、円と四角形を連結してなる鍵穴状（図４（Ａ）参照）の平面形状を有する識別部５を、印面１内における非印影部３の一箇所に刻設したものである。当該識別部５の位相は、刻設された印影部６の向きに対して４５度刻みの八方のいずれかに設定したものとなっており（図５参照）、当該例にあっては四角形部分が下向きに設定されている。
【００１５】
前記印面１を削る際には、前記非印影部３及び識別部５以外の部分を全て略均一な深さに削り、前記識別部５は、前記印面１と削底面４の中間部の深さまで削ることとする。尚、識別部５は必ずしも同じ高さである必要は無く、朱肉が詰まりにくい様に、平面形状が前記形状であることを条件として、先窄まりの尾根状に成形されていても良い。
【００１６】
図２に示す例は、大小異なる二つの円を連結してなる雪だるま状（図４（Ｂ）参照）の平面形状を有する識別部５を、印面内における非印影部の二箇所に刻設したものであり、図３に示す例は、小円と大円とその間に介在した台形を連結してなる水滴状（図４（Ｃ）参照）をその位相を異ならせて３箇所に刻設したものである。
【００１７】
上記の如く選択した識別部５の平面形状は、極めて単純な形状であるから狭小なエリアにあっても鮮明に刻設できる他、三角形状を含まない構成とすることによって、鋭角に突出した部分が形成されず長期に亘る使用にあっても部分的な欠損が生じないと言う利点がある。また、朱肉が詰まったとしても比較的容易に除去できるという利点もある。
【産業上の利用可能性】
【００１８】
印鑑は種々の産業分野において用いられるから、印鑑の偽造に対する萎縮的効果を排除できることによって、産業活動の円滑化に寄与する。
【図面の簡単な説明】
【００１９】
【図１】本発明による印部の一例を示す側面図及び平面図である。
【図２】本発明による印部の一例を示す平面図である。
【図３】本発明による印部の一例を示す平面図である。
【図４】本発明による識別部の構成例を示す平面図である。
【図５】本発明による識別部の方向性を示す平面図である。
【符号の説明】
【００２０】
１  印面，２  印部，３  非印影部，４  削底面，５  識別部，６  印影部，
【図１】
0003125370.tif 000003
【図２】
0003125370.tif 000004
【図３】
0003125370.tif 000005
【図４】
0003125370.tif 000006
【図５】
0003125370.tif 000007